(57)【特許請求の範囲】
【請求項１】
監視ポイントの状態をアイコンによって表示するグラフィック画面を生成するグラフィック画面の生成装置であって、
監視ポイントと、表示状態が変化することによって前記監視ポイントの状態を示すアイコンと、前記監視ポイントが属するグループとを関連付けて予め記憶した第１の記憶部と、
監視ポイントと、この監視ポイントを示すアイコンの前記グラフィック画面上の位置と、前記監視ポイントが属するグループとを関連付けて記憶する第２の記憶部と、
前記第１の記憶部に記憶された１のグループが選択されたことを検出するグループ選択検出部と、
このグループ選択検出部により選択された前記１のグループに属する全ての監視ポイントのアイコンを、前記グラフィック画面上に表示するアイコン表示部と、
前記グループ選択検出部により選択された前記１のグループに属する各監視ポイントと、この監視ポイントに対応するアイコンが前記アイコン表示部により前記グラフィック画面上に表示された位置と、前記１のグループとを関連付けて前記第２の記憶部に記憶させる表示設定部と、
前記アイコンを前記グラフィック画面に表示させるか否かに関する表示情報を設定する操作を検出する表示選択検出部を備え、
前記第２の記憶部は、監視ポイントと、この監視ポイントを示すアイコンの前記グラフィック画面上の位置と、前記監視ポイントが属するグループと、当該アイコンを前記グラフィック画面上に表示させるか否かに関する前記表示情報とを関連付けて記憶し、
前記表示設定部は、前記表示選択検出部による選択結果に基づいて、前記第２の記憶部に記憶される前記表示情報を設定するとともに、前記第１の記憶部に記憶された１のグループに新たな監視ポイントが追加された場合には、この新たな監視ポイントと、この新たな監視ポイントを示すアイコンの前記グラフィック画面上の位置と、前記１のグループと、前記表示情報とを関連付けて前記第２の記憶部に記憶させ、
前記アイコン表示部は、前記第２の記憶部に記憶された前記表示情報に基づいて、この表示情報と関連付けられたアイコンを前記グラフィック画面上に表示させる
ことを特徴とするグラフィック画面の生成装置。
【請求項２】
前記アイコン表示部により前記グラフィック画面上に表示されたアイコンを前記グラフィック画面上で移動させる操作を検出する移動検出部
をさらに備え、
前記表示設定部は、前記移動検出部により前記アイコンを前記グラフィック画面上で移動させる操作が検出されると、この移動後の位置を前記第２の記憶手段に記憶された前記グラフィック画面上の位置として記憶させる
ことを特徴とする請求項１記載のグラフィック画面の生成装置。
【請求項３】
監視ポイントの状態をアイコンによって表示するグラフィック画面を生成するグラフィック画面の生成方法であって、
監視ポイントと、表示状態が変化することによって前記監視ポイントの状態を示すアイコンと、前記監視ポイントが属するグループとを関連付けて第１の記憶部に予め記憶させる第１の記憶ステップと、
監視ポイントと、この監視ポイントを示すアイコンの前記グラフィック画面上の位置と、前記監視ポイントが属するグループとを関連付けて第２の記憶部に記憶させる第２の記憶ステップと、
前記第１の記憶部に記憶された１のグループが選択されたことを検出するグループ選択検出ステップと、
このグループ選択検出ステップにより選択された前記１のグループに属する全ての監視ポイントのアイコンを、前記グラフィック画面上に表示するアイコン表示ステップと、
前記グループ選択検出ステップにより選択された前記１のグループに属する各監視ポイントと、この監視ポイントに対応するアイコンが前記アイコン表示部により前記グラフィック画面上に表示された位置と、前記１のグループとを関連付けて前記第２の記憶部に記憶させる表示設定ステップと、
前記アイコンを前記グラフィック画面に表示させるか否かに関する表示情報を設定する操作を検出する表示選択検出ステップとを有し、
前記第２の記憶ステップは、監視ポイントと、この監視ポイントを示すアイコンの前記グラフィック画面上の位置と、前記監視ポイントが属するグループと、当該アイコンを前記グラフィック画面上に表示させるか否かに関する前記表示情報とを関連付けて記憶するステップを含み、
前記表示設定ステップは、前記表示選択検出ステップにおける選択結果に基づいて、前記第２の記憶部に記憶される前記表示情報を設定するステップと、前記第１の記憶部に記憶された１のグループに新たな監視ポイントが追加された場合には、この新たな監視ポイントと、この新たな監視ポイントを示すアイコンの前記グラフィック画面上の位置と、前記１のグループと、前記表示情報とを関連付けて前記第２の記憶部に記憶させるステップとを含み、
前記アイコン表示ステップは、前記第２の記憶部に記憶された前記表示情報に基づいて、この表示情報と関連付けられたアイコンを前記グラフィック画面上に表示させるステップを含む
ことを特徴とするグラフィック画面の生成方法。
【発明の詳細な説明】
【技術分野】
【０００１】
本発明は、グラフィック画面の生成装置および生成方法に関し、特に、建造物管理システムの表示装置に表示されるグラフィック画面の生成装置および生成方法に関するものである。
【背景技術】
【０００２】
一般に、テナントビル、ホテル、病院などの建造物には、エアコン、センサ、カードリーダなどの設備機器により空調、防犯、入退室などの状態を管理する建造物管理システムが備えられている（例えば、特許文献１参照。）。このシステムの中央監視装置の画面には、空調、防犯、入退室など中央監視装置が状態を監視する監視対象、すなわち監視ポイントが表示される。具体的には、建造物やこの建造物のフロアなどのレイアウト等が示された図面上に、監視ポイントを示す動画シンボル（アイコン）が配置されたグラフィック画面が表示される。このグラフィック画面において、アイコンは、対応する監視ポイントの状態に応じて、点灯／点滅、色、形状などの表示状態が変化する。したがって、オペレータは、グラフィック画面上のアイコンの表示を確認することにより、建造物を管理することができる。
【０００３】
上述したようなグラフィック画面は次のように生成される。まず、監視ポイント、この監視ポイントに対応する設備機器、監視ポイントを示すアイコンなどの識別情報を対応付けたデータベースを用意する。次いで、建造物の平面図や正面図などレイアウトが示された静止画像（背景図）を用意し、この静止画像上に監視ポイントを示すアイコンを配置する。そして、このアイコンを配置した背景図上の座標、そのアイコンに対応する監視ポイントの識別情報、この監視ポイントの状態に応じたアイコンの表示設定など静止画像上に表示されない各種情報を関連付けて設定する。
【先行技術文献】
【特許文献】
【０００４】
【特許文献１】特開平０９−１６０７４４号公報
【発明の概要】
【発明が解決しようとする課題】
【０００５】
しかしながら、グラフィック画面の生成作業では、アイコンを背景図上に配置したり、アイコンの座標、アイコンの表示設定、監視ポイントの識別情報等を関連付けたりする設定作業を、監視ポイント毎に１つ１つ行わなければならないので、この設定に時間と手間がかかっていた。
【０００６】
そこで、本発明は、より容易にグラフィック画面を生成することができるグラフィック画面の生成装置および生成方法を提供することを目的とする。
【課題を解決するための手段】
【０００７】
上述したような課題を解決するために、本発明に係るグラフィック画面の生成装置は、監視ポイントの状態をアイコンによって表示するグラフィック画面を生成するグラフィック画面の生成装置であって、監視ポイントとこの監視ポイントを示すアイコンと監視ポイントが属するグループとを関連付けて予め記憶した第１の記憶部と、監視ポイントとこの監視ポイントを示すアイコンのグラフィック画面上の位置と監視ポイントが属するグループとを関連付けて記憶する第２の記憶部と、第１の記憶部に記憶された１のグループが選択されたことを検出するグループ選択検出部と、このグループ選択検出部により選択された１のグループに属する全ての監視ポイントのアイコンをグラフィック画面上に表示するアイコン表示部と、グループ選択検出部により選択された１のグループに属する各監視ポイントとこの監視ポイントに対応するアイコンがアイコン表示部によりグラフィック画面上に表示された位置と１のグループとを関連付けて第２の記憶部に記憶させる表示設定部とを備えたことを特徴とするものである。
【０００８】
上記グラフィック画面の生成装置において、アイコン表示部によりグラフィック画面上に表示されたアイコンをグラフィック画面上で移動させる操作を検出する移動検出部をさらに備え、表示設定部は移動検出部によりアイコンをグラフィック画面上で移動させる操作が検出されるとこの移動後の位置を第２の記憶手段に記憶されたグラフィック画面上の位置として記憶させるようにしてもよい。
【０００９】
また、上記グラフィック画面の生成装置において、アイコンをグラフィック画面に表示させるか否かに関する表示情報を設定する操作を検出する表示選択検出部をさらに備え、第２の記憶部は、監視ポイントとこの監視ポイントを示すアイコンのグラフィック画面上の位置と監視ポイントが属するグループと当該アイコンをグラフィック画面上に表示させるか否かに関する表示情報とを関連付けて記憶し、表示設定部は、表示選択部による選択結果に基づいて第２の記憶部に記憶される表示情報を設定し、アイコン表示部は、第２の記憶部に記憶された表示情報に基づいて、この表示情報と関連付けられたアイコンをグラフィック画面上に表示させるようにしてもよい。
【００１０】
また、上記グラフィック画面の生成装置において、表示設定部は、第１の記憶部に記憶された第１のグループに新たな監視ポイントが追加されると、この新たな監視ポイントとこの新たな監視ポイントを示すアイコンのグラフィック画面上の位置と１のグループと表示情報とを関連付けて第２の記憶部に記憶させるようにしてもよい。
【００１１】
また、本発明に係るグラフィック画面の生成方法は、監視ポイントの状態をアイコンによって表示するグラフィック画面を生成するグラフィック画面の生成方法であって、監視ポイントとこの監視ポイントを示すアイコンと監視ポイントが属するグループとを関連付けて第１の記憶部に予め記憶させる第１の記憶ステップと、監視ポイントとこの監視ポイントを示すアイコンのグラフィック画面上の位置と監視ポイントが属するグループとを関連付けて第２の記憶部に記憶させる第２の記憶ステップと、第１の記憶部に記憶された１のグループが選択されたことを検出するグループ選択検出ステップと、このグループ選択検出ステップにより選択された１のグループに属する全ての監視ポイントのアイコンをグラフィック画面上に表示するアイコン表示ステップと、グループ選択検出ステップにより選択された１のグループに属する各監視ポイントとこの監視ポイントに対応するアイコンがアイコン表示部によりグラフィック画面上に表示された位置と１のグループとを関連付けて第２の記憶部に記憶させる表示設定ステップとを有することを特徴とするものである。
【発明の効果】
【００１２】
本発明によれば、第１の記憶部に記憶された１のグループが選択されると、この選択された１のグループに属する各監視ポイントと、この監視ポイントに対応するアイコンがグラフィック画面上に表示される位置と、１のグループとを関連付けて第２の記憶部に記憶させるとともに、その１のグループに属する全ての監視ポイントのアイコンがグラフィック画面上に表示させるので、グラフィック画面上へのアイコンの表示および監視ポイントとこの監視ポイントに対応するアイコンがグラフィック画面上に表示された位置とその監視ポイントが属するグループとの関連付けがグループ単位で行われるので、より容易にグラフィック画面を作成することができる。
【図面の簡単な説明】
【００１３】
【図１】図１は、建造物管理システムの構成を示すブロック図である。
【図２】図２は、本発明の実施の形態に係るグラフィック画面生成装置の構成を示す機能ブロック図である。
【図３】図３は、グループ情報ＤＢに記憶された情報の構成を示す図である。
【図４】図４は、監視ポイント情報ＤＢに記憶された情報の構成を示す図である。
【図５】図５は、表示設定ＤＢに記憶された情報の構成を示す図である。
【図６】図６は、グループ情報ＤＢおよび監視ポイントＤＢの生成動作を示すフローチャートである。
【図７】図７は、グラフィック画面の生成動作を示すフローチャートである。
【図８】図８は、グラフィック画面上における監視ポイントの登録動作を説明するための図である。
【図９】図９は、グラフィック画面上における監視ポイントの登録動作を説明するための図である。
【図１０】図１０は、グラフィック画面上における監視ポイントの移動動作を説明するための図である。
【図１１】図１１は、図１０で示す移動動作が行われた際の表示設定ＤＢの状態を説明するための図である。
【図１２】図１２は、アイコンの表示の有無の設定動作が行われた際の表示設定ＤＢの状態を説明するための図である。
【図１３】図１３は、アイコンの表示の有無の設定動作が行われた際のグラフィック画面上での状態を説明するための図である。
【図１４】図１４は、監視ポイントの追加動作が行われた際の監視ポイントＤＢの状態を説明するための図である。
【図１５】図１５は、監視ポイントの追加動作が行われた際の表示設定ＤＢの状態を説明するための図である。
【図１６】図１６は、監視ポイントの追加動作が行われた際のグラフィック画面上での状態を説明するための図である。
【発明を実施するための形態】
【００１４】
以下、図面を参照して本発明の実施の形態について詳細に説明する。図１は、本実施の形態に係るグラフィック画面生成装置を含む建造物管理システムの構成を示すブロック図である。
【００１５】
＜建造物管理システムの構成＞
図１に示すように、建造物管理システムは、建造物の図面上に監視対象を示す監視ポイントの状態を表示するアイコンが配置されたグラフィック画面を表示装置に表示させることにより建造物の管理を行う中央監視装置１と、そのグラフィック画面を作成するグラフィック画面生成装置２と、建造物中に配設された設備機器３ａ〜３ｎとを備え、これらが通信回線４を介して互いに接続されている。
ここで、設備機器３ａ〜３ｎとは、例えばポンプ、ファン、コンデンサ、消音器、清浄器、冷媒溜め、ドライヤー、エアフィルタ、アクセスドア、温度センサ、防犯センサ、カードリーダ等の建造物の空調、防犯、照明、電力供給、下水道設備等を管理するため機器を意味する。
【００１６】
≪グラフィック画面生成装置の構成≫
このような建造物管理システムに含まれるグラフィック画面生成装置２は、ＣＰＵ（Central Processing Unit）等の演算装置と、メモリ、ＨＤＤ（Hard Disc Drive）等の記憶装置と、キーボード、マウス、ポインティングデバイス、ボタン、タッチパネル等の外部から情報の入力を検出する入力装置と、外部との情報の送受を行うＩ／Ｆ（Interface）装置と、ＬＣＤ(Liquid Crystal Display)や有機ＥＬ(Electro Luminescence)等の表示装置を備えたコンピュータとから構成されている。このようなグラフィック画面生成装置２は、そのコンピュータにインストールされたプログラムにより上述したようなハードウェア資源が制御されて、ハードウェア装置とソフトウェアが協働することにより、図２に示すような、送受信部２１、記憶部２２、グループ設定部２３、監視ポイント設定部２４、グループ選択検出部２５、アイコン表示部２６、表示設定部２７、移動検出部２８、表示選択部２９、追加部３０および画面出力部３１が実現される。
【００１７】
送受信部２１は、通信回線４を介して、中央監視装置１および設備機器３ａ〜３ｎと各種情報の送受信を行う機能部である。
【００１８】
記憶部２２は、グラフィック画面生成装置２の動作に関連する各種情報を記憶する機能部であり、グループ情報ＤＢ２２１、監視ポイントＤＢ２２２、表示設定ＤＢ２２３および図面ＤＢ２２４を備えている。ここで、グループ情報ＤＢ２２１および監視ポイントＤＢ２２２が本発明における第１の記憶部、表示設定ＤＢ２２３が本発明における第２の記憶部として機能する。
【００１９】
グループ情報ＤＢ２２１は、監視ポイントと、この監視ポイントが属するグループとを関連付けて記憶したデータベースである。このグループ情報ＤＢ２２１は、例えば図３に示すように、グループの識別情報と、監視ポイントの識別情報とを関連付けて記憶している。なお、図３において、「グループＩＤ」の項目はグループの識別情報、「監視ポイントＩＤ」の項目は監視ポイントの識別情報をそれぞれ意味している。例えば、「監視ポイントＩＤ」が「１０１−１」のレコードには、「１０１」の「グループＩＤ」が関連付けられており、これは識別情報が「１０１−１」の監視ポイントに関連付けられているグループの識別情報が「１０１」であることを意味している。
【００２０】
監視ポイントＤＢ２２２は、監視ポイントと、この監視ポイントに対応付けられたアイコンの種類や表示設定とを関連付けて記憶したデータベースからなり、本発明における第１の記憶部として機能する。このような監視ポイントＤＢ２２２は、例えば図４に示すように、監視ポイントの識別情報と、対応する設備機器の識別情報と、アイコンの種類と、アイコンの表示設定とが関連付けて記憶されている。なお、図４において、「設備機器ＩＤ」の項目は設備機器の識別情報、「アイコン」の項目はアイコンの種類、「設定」の項目はアイコンの表示設定を意味している。例えば、「監視ポイントＩＤ」が「１０１００１」のレコードには、「１０１」の「設備機器ＩＤ」と、「Ａ」の「アイコン」と、「消灯、点灯、点滅」の「設定」と、「表示」の「表示の有無」とが関連付けられている。これは、識別情報が「１０１００１」の監視ポイントは、関連付けられている設備機器の識別情報が「１０１」、表示されるアイコンの種類が「Ａ」、アイコンの表示設定が「消灯」、「点灯」、「点滅」という３パターンであるということを意味している。
【００２１】
表示設定ＤＢ２２３は、グラフィック画面上に表示されるアイコンの表示位置や表示の有無を記憶したデータベースであり、本発明における第２の機能部として機能する。このような表示設定ＤＢ２２３は、例えば図５に示すように、図番などを示す図面の識別情報と、グループの識別情報と、監視ポイントの識別情報と、その図面上の座標と、表示の有無に関する表示情報とが関連付けて記憶されている。なお、図５において、「グラフＩＤ」の項目は図面の識別情報、「座標」の項目は図面上の座標、「表示の有無」の項目はアイコンを図面上に表示させるか否かを意味している。例えば、「監視ポイントＩＤ」が「１０１−１」のレコードには、「１」の「グラフＩＤ」と、「１０１」の「グループＩＤ」と、「１００」の「Ｘ」方向の「座標」と、「１００」の「Ｙ」方向の「座標」と、「表示」の表示情報を示す「表示の有無」が関連付けられている。これは、識別情報が「１０１」のグループに属する識別情報「１０１−１」の監視ポイントのアイコンは、識別情報が「１」の図面上におけるＸ軸方向の座標が「１００」、Ｙ軸方向の座標が「１００」の位置に「表示」されることを意味している。
【００２２】
図面ＤＢ２２４は、平面図や正面図など、建造物全体や建造物のフロア毎のレイアウトが示された図面のデータを記憶したデータベースである。ここで、データは、画像ファイルやメーカ独自のファイルで保存されている。
【００２３】
なお、監視ポイントＤＢ２２２には、グループの識別情報も記憶されるようにしてもよい。この場合には、監視ポイントＤＢ２２２が本発明における第１の記憶部として機能することとなる。
【００２４】
グループ設定部２３は、例えばキーボードによる入力などのユーザの操作入力に基づいて、各監視ポイントが属するグループを設定する機能部である。これにより、監視ポイントは、いずれか１つのグループに属することとなる。このようなグループ設定部２３により設定されたグループと監視ポイントの関連付けに関する情報は、グループ情報ＤＢ２２１に記憶される。なお、監視ポイントは、例えば、特許文献１で提案されているルームの単位など、建造物における部屋や廊下などの所定の領域でグループ化するようにしてもよい。
【００２５】
監視ポイント設定部２４は、例えばキーボードによる入力などの操作入力に基づいて、各監視ポイントの設定を行う機能部である。具体的には、監視ポイント、この監視ポイントが属するグループ、監視ポイントと対応付けられた設備機器、監視ポイントを示すアイコン、監視ポイントの状態に応じた表示設定などを互いに関連付けて設定する。ここで、監視ポイントとは、例えば、設備機器の動作状態、温度や湿度等の環境情報など、中央監視装置１が監視する監視対象であって、設備機器３ａ〜３ｎの少なくとも１つと対応付けられており、設備機器３ａ〜３ｎによりその情報が取得されるものである。このような監視ポイント設定部２４により設定された監視ポイントは、記憶部２２の監視ポイントＤＢ２２２に記憶される。
【００２６】
グループ選択検出部２５は、例えばマウスによりドラッグアンドドロップを行うとったユーザの操作入力に基づいて、監視ポイントＤＢ２２２に記憶された１のグループ、すなわち、グラフィック画面上に登録する監視ポイントのグループが選択されたことを検出する機能部である。
【００２７】
アイコン表示部２６は、グループ選択検出部２５、移動検出部２８、表示選択部２９および表示設定ＤＢ２２３等による操作結果や設定に基づいて、アイコンを図面上に表示させる機能部である。
【００２８】
表示設定部２７は、グループ選択検出部２５による操作結果に基づいて、グラフィック画面上で表示させるアイコンの設定を行う機能部である。具体的には、アイコンを表示させる図面、アイコンに対応する監視ポイント、この監視ポイントが属するグループ、グラフィック画面上のアイコンの位置、アイコンをグラフィック画面上に表示させるか否かに関する情報などを互いに関連付けて設定する。この表示設定部２７により設定された情報は、記憶部２２の表示設定ＤＢ２２３に記憶される。
【００２９】
移動検出部２８は、例えばマウスにより所定の操作が行われるといったユーザの操作入力に基づいて、グラフィック画面上に表示されたアイコンをそのグラフィック画面上で移動させる操作を検出する機能部である。
【００３０】
表示選択部２９は、例えばマウスにより所定の操作が行われるといったユーザの操作入力に基づいて、アイコンをグラフィック画面上に表示させるか否かに関する表示情報を設定する操作を検出する機能部である。
【００３１】
追加部３０は、例えばキーボードを介したデータ入力といったユーザの操作入力に基づいて、監視ポイントＤＢ２２２に記憶された１のグループに新たな監視ポイントを追加して生成する機能部である。
【００３２】
画面出力部３１は、記憶部２２に記憶された各種情報に基づいて、監視ポイントの状態をアイコンによって表示するグラフィック画面を生成して出力する機能部である。
【００３３】
＜グラフィック画面の作成動作＞
次に、本実施の形態に係るグラフィック画面生成装置２によるグラフィック画面の作成動作について説明する。
【００３４】
まず、グループ情報ＤＢ２２１および監視ポイントＤＢ２２２は予め生成されている。これらのグループ情報ＤＢ２２１および監視ポイントＤＢ２２２は、図６に示すように以下の手順で生成される。
【００３５】
まず、グループ設定部２３は、例えばキーボードによる入力などのユーザの操作入力に基づいて、監視ポイントが所属するグループを設定する（ステップＳ１）。具体的には、グループの識別情報と、このグループに属する監視ポイントの識別情報とを関連付ける。このようにして関連付けられた情報は、上述した図３に示すような構造でグループ情報ＤＢ２２１に記憶される。
【００３６】
グループが設定されると、監視ポイント設定部２４は、例えばキーボードによる入力などのユーザの操作入力に基づいて、監視ポイントの設定を行う（ステップＳ２）。具体的には、監視ポイント、この監視ポイントと対応付けられた設備機器、監視ポイントを示すアイコン、監視ポイントの状態に応じた表示設定などを関連付ける。このようにして設定された情報は、上述した図４に示すような構造で監視ポイントＤＢ２２２に記憶される。
【００３７】
これにより、グループ情報ＤＢ２２１および監視ポイントＤＢ２２２が生成されることとなる。
【００３８】
このようにしてグループ情報ＤＢ２２１および監視ポイントＤＢ２２２が設定された後、図７に示すような手順でグラフィック画面が生成される。この詳細について以下に説明する。
【００３９】
まず、グループ選択検出部２５は、グラフィック画面上に登録する監視ポイントのグループが選択されたか否かを検出する（ステップＳ１１）。その選択としては、登録する監視ポイントを配置する図面上の位置と、登録する監視ポイントを含むグループとが選ばれることが含まれる。このような選択操作としては、例えば、図８に示すように、図面ＤＢ２２４から生成するグラフィック画面に対応する図面ａを表示画面に表示させた上で、ユーザによる操作入力により、図面ａ上に別ウィンドウｂを開き、この別ウィンドウに列挙されたグループのうち追加したい監視ポイントが含まれるグループを選択し、矢印ｃに示すように監視ポイントを追加したい位置までドラッグして、その位置でドロップするという一連の動作からなるようにしてもよい。このとき、このウィンドウｂには、記憶部２２のグループ情報ＤＢ２２１に記憶されているグループの識別情報が列挙される。
【００４０】
グラフィック画面上に登録する監視ポイントのグループが選択されたことが検出されると（ステップＳ１１：ＹＥＳ）、アイコン表示部２６および表示設定部２７は、その選択されたグループ単位で監視ポイントを登録する（ステップＳ１２）。具体的には、アイコン表示部２６は、選択された図面上の位置に、選択されたグループに属する全ての監視ポイントに対応するアイコンを配置する。また、表示設定部２７は、選択されたグループ、このグループに属する全ての監視ポイント、これらの監視ポイントを示すアイコンを表示させる図面、それらの監視ポイントを示すアイコンをグラフィック画面上で表示させる位置、対応するアイコンをグラフィック画面上に表示させるか否かに関する情報などを関連付けて、表示設定ＤＢ２２３に設定する。
【００４１】
例えば、図８に示す図面ａ上において、別ウィンドウｂに列挙されるグループのうち識別情報が「１０１」のグループが、矢印ｃに示すように監視ポイントのアイコンを表示させたい位置までドラッグされて、その位置でドロップされたものとする。
【００４２】
すると、アイコン表示部２６は、グループ情報ＤＢ２２１および監視ポイントＤＢ２２２に基づいて、ドラッグされたグループに属する全ての監視ポイントをそのドロップした位置に表示させる。ここで、図３で示したグループ情報ＤＢ２２１において、識別情報が「１０１」のグループには、識別情報が「１０１−１」〜「１０１−４」の監視ポイントが関連付けられている。また、図４で示した監視ポイントＤＢ２２２には、その識別情報が「１０１−１」〜「１０１−４」の監視ポイントと、アイコンの種類とが関連付けられている。これにより、図９に示すように、ドロップされた位置には、選択したグループに含まれる全ての監視ポイントのアイコン１０１−１〜１０１−４と、これらのアイコン１０１−１〜１０１−４を取り囲む枠ｄとが表示される。このとき、例えば、枠ｄは、上述したドロップされた位置にその重心が位置するように表示され、アイコン１０１−１〜１０１−４は、その枠ｄ内において等間隔に並ぶように配置される。なお、枠ｄは、表示画面上に表示しないようにしてもよい。
【００４３】
また、表示設定部２７は、表示させたアイコンに関連する情報を設定し、表示設定ＤＢ２２３に登録する。上述したように、識別情報が「１０１」のグループを登録する旨の操作が検出された場合、図３、図４で示したグループ情報ＤＢ２２１および監視ポイントＤＢ２２２に基づき、そのグループの識別情報である「１０１」と、そのグループがドラッグおよびドロップされた図面の識別情報である「１」と、そのグループに属する全ての監視ポイントの識別情報である「１０１−１」〜「１０１−４」と、その図面上に表示されたアイコンの「Ｘ」方向および「Ｙ」方向の座標の実際の値と、アイコンの表示の有無に関する表示情報とを関連付ける。これにより、図５に示すような表示設定ＤＢ２２３が生成される。なお、この段階においては、アイコンが全て表示されているので、表示の有無に関する表示情報は全て「表示」と設定されている。
【００４４】
グループ単位で監視ポイントが登録されると、移動検出部２８は、ユーザの操作入力に基づいて、各アイコンの表示位置を設定する（ステップＳ１３）。この設定は、例えば図１０に示すように、アイコン１０１−１〜１０１−４を矢印ｅ〜ｈで示すように図面上で表示した位置までドラッグし、その位置でドロップすることにより行うことができる。このとき、表示設定部２７は、図１１に示すように、表示設定ＤＢ２２３に記憶された監視ポイントの座標の値を、移動先の座標の値に変更する（符号ｉ，ｊを参照。）。これにより、アイコンをグラフィック画面上の任意の位置に移動させることができるので、オペレータにとって使いやすいグラフィック画面を生成することができる。
【００４５】
このとき、アイコンを移動するのみならず、アイコンを図面上に表示するか否かに関する表示情報の設定についても行うようにしてもよい。この設定は、例えば、非表示にするアイコン上で右クリックしてメニューを開き、このメニューから非表示とするための項目を選択することにより行うようにしてもよい。一例として、図１０に示したアイコン１０１−４が非表示と設定されたものとする。すると、表示選択部２９は、表示設定ＤＢ２２３に記憶された表示情報について、図１１では「表示」であったのを図１２に示すように「非表示」にする（符号ｋを参照。）。すると、アイコン表示部２６は、図１０ではグラフィック画面上に表示させていたアイコン１０１−４を、図１３に示すようにグラフィック図面上から消去する。これにより、実際には使用しない監視ポイント、オペレータに意識させる必要がない監視ポイント、対応する設備機器がない監視ポイントなどをグラフィック画面上に表示させないようにすることができる。
【００４６】
アイコンの表示位置が設定されると、グループ選択検出部２５は、さらなる監視ポイントの登録操作が終了したか否かを確認する（ステップＳ１４）。この確認は、例えば、監視ポイントの登録動作を終了するか否かを尋ねるメッセージを表示画面に表示させることにより行うようにしてもよい。監視ポイントの登録操作が継続される場合（ステップＳ１４：ＮＯ）、グループ選択検出部２５は、ステップＳ１１の処理に戻る。
【００４７】
一方、監視ポイントの登録操作を終了する場合（ステップＳ１４：ＹＥＳ）、画面出力部３１は、記憶部２２に記憶された情報に基づいてグラフィック画面を生成して出力する（ステップＳ１５）。具体的には、表示設定ＤＢ２２３に基づいて、図面ＤＢ２２４からグラフＩＤに対応する図面を抽出し、この図面上に表示の有無が表示と設定されているアイコンを指定されている座標に配置する。これにより、中央監視装置１の表示装置に表示させるグラフィック画面が生成されることとなる。このグラフィック画面では、監視ポイントＤＢ２２２に設定された監視ポイントを示すアイコンが、表示設定部２７に設定された所定の図面上の所定の位置に配置される。また、そのアイコンは、監視ポイントＤＢ２２２に設定された情報に基づいて、対応する設備機器の状態に応じて表示状態が変化する。したがって、中央監視装置１のオペレータは、表示装置に表示されるグラフィック画面上のアイコンの状態を観察することによって、中央監視装置１が配設された建造物の状態を監視することができる。
【００４８】
以上説明したように、本実施の形態によれば、グループ情報ＤＢ２２１に記憶された１のグループが選択されると、この選択された１のグループに属する各監視ポイントと、この監視ポイントに対応するアイコンがグラフィック画面上に表示される位置と、１のグループとを関連付けて表示設定ＤＢ２２３に記憶させるとともに、その１のグループに属する全ての監視ポイントのアイコンがグラフィック画面上に表示させるので、グラフィック画面上へのアイコンの表示および監視ポイントとこの監視ポイントに対応するアイコンがグラフィック画面上に表示された位置とその監視ポイントが属するグループとの関連付けがグループ単位で行われるので、より容易にグラフィック画面を作成することができる。
【００４９】
上述したような方法によりグラフィック画面が生成されたり、この生成途中であったりした場合において、監視ポイントＤＢ２２２が編集されて新たな監視ポイントが追加されることがある。このような場合、その監視ポイントも表示設定ＤＢ２２３に追加して登録し、図面上に表示するようにしてもよい。例えば、図１４に示すように、識別情報が「１」のグループの監視ポイントが表示設定ＤＢ２２３に登録されている場合において、そのグループに識別情報が「１０１−５」の監視ポイントが追加されたものとする（符号ｌを参照。）。すると、表示設定部２７は、図１５に示すように、その監視ポイント１０１−５に対応する表示設定を表示設定ＤＢ２２３に追加して設定する（符号ｍを参照。）。また、アイコン表示部２６は、図１６に示すように、追加された監視ポイント１０１−５に対応するアイコンを、同じグループに属するアイコンが表示されていた枠ｄ内部に表示する。これにより、新たな監視ポイントが追加されると、グループ単位でグラフィック画面上および表示設定ＤＢ２２３に登録した監視ポイント群にも、対応する監視ポイントを追加して生成できるので、新たな監視ポイントの生成時における操作性、作業性、確実性を向上させることができる。このとき、対応する監視ポイントの追加生成は、自動的に行うようにしてもよく、ユーザの操作入力に基づく表示設定部２７による設定により行うようにしてもよい。
【００５０】
また、従来では、グラフィック画面上にアイコンを表示させない監視ポイントについては、この監視ポイントに関する情報を表示設定ＤＢ２２３から削除するようにしていたが、このような場合に上述したように新たな監視ポイントが追加されると、その表示させない監視ポイントについても新たな監視ポイントとともに表示されてしまうことがあった。しかし、本実施の形態によれば、表示情報を設定することにより、表示設定ＤＢ２２３から表示させたくない監視ポイントに関する情報を削除しなくても、その監視ポイントのアイコンを表示させないようにできる。
なお、監視ポイントＤ２２２から監視ポイントが削除された場合には、表示設定ＤＢ２２３に記憶されたその監視ポイントに関連付けられた情報も削除されるようにしてもよい。
【００５１】
また、本実施の形態においては、中央監視装置１とグラフィック画面生成装置２と別の装置から構成される場合を例に説明したが、それらは１つの装置から構成されるようにしてもよい。
【産業上の利用可能性】
【００５２】
本発明は、画面上に表示されたアイコンなどの動画シンボルに基づいて管理を行う各種システムのグラフィック画面の生成装置に適用することができる。
【符号の説明】
【００５３】
１…中央監視装置、２…グラフィック画面生成装置、３ａ〜３ｎ…設備機器、４…通信回線、２１…送受信部、２２…記憶部、２３…グループ設定部、２４…監視ポイント設定部、２５…グループ選択検出部、２６…アイコン表示部、２７…表示設定部、２８…移動部、２９…表示選択部、３０…追加部、３１…画面出力部、２２１…グループ情報ＤＢ、２２２…監視ポイントＤＢ、２２３…表示設定ＤＢ、２２４…図面ＤＢ。
【図１】
0005912671.tif 000002
【図２】
0005912671.tif 000003
【図３】
0005912671.tif 000004
【図４】
0005912671.tif 000005
【図５】
0005912671.tif 000006
【図６】
0005912671.tif 000007
【図７】
0005912671.tif 000008
【図８】
0005912671.tif 000009
【図９】
0005912671.tif 000010
【図１０】
0005912671.tif 000011
【図１１】
0005912671.tif 000012
【図１２】
0005912671.tif 000013
【図１３】
0005912671.tif 000014
【図１４】
0005912671.tif 000015
【図１５】
0005912671.tif 000016
【図１６】
0005912671.tif 000017